【手続補正書】
【提出日】平成18年7月5日(2006.7.5)
【手続補正１】
【補正対象書類名】特許請求の範囲
【補正対象項目名】全文
【補正方法】変更
【補正の内容】
【特許請求の範囲】
【請求項１】
非送信ダイバーシティレシーバーに送信ダイバーシティ利得を供給するための装置において、
変調シンボルの単一ストリームの少なくとも２つの時間変化する変調シンボルのストリームに変換されるように、前記変調シンボルの単一ストリームに、少なくとも２つの時間変化する変換を実施するためのスイッチング装置であって、前記変調シンボルの単一ストリームは、前記非送信ダイバーシティレシーバーへの送信を目標としており、さらに、前記少なくとも２つの時間変化する変換は、信号対雑音比における送信ダイバーシティを前記非送信ダイバーシティレシーバーに供給するスイッチング装置と、
前記少なくとも２つの時間変化する変調シンボルのストリームを前記非送信ダイバーシティレシーバーに送信するための少なくとも２つのアンテナと、
を備えた装置。
【請求項２】
前記スイッチング装置は、サイン波発生器とコサイン波発生器とを備えた、請求項１の装置。
【請求項３】
前記スイッチング装置は、少なくとも２つの時間変化する鋸波発生器を備えた請求項１の装置。
【請求項４】
非送信ダイバーシティレシーバーに送信ダイバーシティ利得を供給するための方法において、
第１の時間変化する変換を変調シンボルのストリームに実施して第１の送信信号を形成することであって、前記変調シンボルのストリームは、非送信ダイバーシティレシーバーへの送信を目標とすることと、
第２の時間変化する変換を前記変調シンボルのストリームに実施して第２の送信信号を形成することであって、前記第２の時間変化する変換は、前記第１の時間変化する変換とは異なる相対位相を有し、前記第１の時間変化する変換と前記第２の時間変化する変換は、信号対雑音比における送信ダイバーシティを前記非送信ダイバーシティレシーバーに供給することと、
前記第１の送信信号と前記第２の送信信号を前記非送信ダイバーシティレシーバーに送信することと、
を備えた方法。
【請求項５】
前記第１の時間変化する変換はサイン変換であり、前記第２の時間変化する変換はコサイン変換である請求項４の方法。
【請求項６】
前記サイン変換と前記コサイン変換との間の相対位相はフレームあたり１サイクルである、請求項４の方法。
【請求項７】
前記第１の時間変化する送信は、第１の位相を有した区分的線形変換であり、前記第２の時間変化する変換は、第２の位相を有した区分的線形変換であり、前記第１の位相と前記第２の位相はフレームあたり１サイクルだけ分離されている請求項４の方法。
【請求項８】
送信ダイバーシティ利得を非送信ダイバーシティレシーバーに供給するための装置において、
第１の時間変化する変換を変調シンボルのストリームに実施し第１の送信信号を形成する手段であって、前記変調シンボルのストリームは、前記非送信ダイバーシティレシーバーへの送信を目標とする手段と、
第２の時間変化する変換を変調シンボルのストリームに実施し第２の送信信号を形成する手段であって、前記第２の時間変化する変換は前記第１の時間変化する変換とは異なる相対位相を有し、前記第１の時間変化する変換と前記第２の時間変化する変換は、信号対雑音比におけるダイバーシティ利得を前記非送信ダイバーシティレシーバーに供給する手段と、
前記第１の送信信号と前記第２の送信信号を前記非送信ダイバーシティレシーバーに送信する手段と、
を備えた装置。
【請求項９】
送信ダイバーシティ利得を非送信ダイバーシティレシーバーに供給するための装置において、
変調シンボルの単一ストリームが少なくとも２つの時間変化する変調シンボルのストリームに変換されるように、前記変調シンボルの単一ストリームに少なくとも２つの時間変化する変換を実施する手段であって、前記変調シンボルの単一ストリームは、前記非送信ダイバーシティレシーバーへの送信を目標にしており、さらに、前記少なくとも２つの時間変化する変換は、信号対雑音比におけるダイバーシティ利得を前記非送信ダイバーシティレシーバーに供給する手段と、
前記少なくとも２つの時間変化する変調シンボルのストリームを前記非送信ダイバーシティレシーバーに送信する手段と、
を備えた装置。
【請求項１０】
送信ダイバーシティシステム内の送信ダイバーシティ遠隔局の中央部で非送信ダイバーシティ遠隔局を動作可能にするための装置において、
少なくとも４つの時間変化する送信を変調シンボルのストリームに実施するためのスイッチング装置であって、前記変調シンボルの第１のストリームは、非送信ダイバーシティ遠隔局のためのものであり、前記変調シンボルの残りのストリームは、送信ダイバーシティ遠隔局のためのものであり、さらに、前記少なくとも４つの時間変化する送信は、信号対雑音比における送信ダイバーシティ利得を前記非送信ダイバーシティレシーバーに供給する、スイッチング装置と、
前記変調シンボルの変換されたストリームを送信するための少なくとも２つのアンテナと、
を備えた装置。
【請求項１１】
前記少なくとも４つの時間変化する変換は、少なくとも２つの発生器のペアにより実行され、各ペアは、サイン発生器とコサイン発生器とを備えた、請求項１０の装置。
【請求項１２】
前記少なくとも４つの時間変化する変換は、少なくとも２つの発生器のペアにより実行され、各ペアは、２つの時間変化する鋸波発生器を備えた、請求項１０の装置。
【請求項１３】
送信ダイバーシティシステム内の送信ダイバーシティ遠隔局の中央部で非送信ダイバーシティ遠隔局を動作可能にするための方法において、
変調シンボルの一次ストリームおよび変調シンボルの二次ストリームに第１の時間変化する変換を実施し、第１送信信号の一部を形成することであって、前記変調シンボルの一次ストリームは、非送信ダイバーシティ遠隔局のためのものであり、前記変調シンボルの二次ストリームは、送信ダイバーシティ遠隔局のためのものであることと、
前記変調シンボルの一次ストリームおよび前記変調シンボルの二次ストリームに第２の時間変化する変換を実施し、第２の送信信号の一部を形成することであって、前記第２の時間変化する変換は、前記第１の時間変化する変換とは異なる相対位相を有することと、
変調シンボルの３次ストリームに第３の時間変化する変換を実施し、前記第１の送信信号の他の部分を形成することであって、前記変調シンボルの３次ストリームは前記送信ダイバーシティ遠隔局のためのものであることと、
前記変調シンボルの３次ストリームに第４の時間変化する変換を実施し、前記第２の送信信号の他の部分を形成することと、
前記第１の送信信号と前記第２の送信信号を前記非送信ダイバーシティ遠隔局および前記送信ダイバーシティ遠隔局に送信することと、
を備えた方法。
【請求項１４】
前記第１および第４の時間変化する変換はサイン変換であり、前記第２および第３の時間変化する変換はコサイン変換である請求項１３の方法。
【請求項１５】
前記第１の時間変化する変換は第１の位相を有する区分的線形変換であり、前記第２の時間変化する変換は第２の位相を有する区分的線形変換であり、前記第３の時間変化する変換は第３の位相を有する区分的線形変換であり、前記第４の時間変化する変換は第４の位相を有する区分的線形変換である請求項１４の方法。
【請求項１６】
送信ダイバーシティシステム内の送信ダイバーシティ遠隔局の中央部で非送信ダイバーシティ遠隔局を動作可能にするための装置において、
変調シンボルの一次ストリームおよび変調シンボルの二次ストリームに第１の時間変化する変換を実施し第１の送信信号の一部を形成する手段であって、前記変調シンボルの一次ストリームは非送信ダイバーシティ遠隔局のためのものであり、前記変調シンボルの二次ストリームは送信ダイバーシティ遠隔局のためのものである手段と、
前記変調シンボルの一次ストリームおよび前記変調シンボルの二次ストリームに第２の時間変化する変換を実施し、第２の送信信号の一部を形成する手段であって、前記第２の時間変化する変換は前記第１の時間変化する変換とは異なる相対位相を有する手段と、
変調シンボルの３次ストリームに第３の時間変化する変換を実施し前記第１の送信信号の他の部分を形成する手段であって、前記変調シンボルの３次ストリームは、前記送信ダイバーシティ遠隔局のためのものである手段と、
前記変調シンボルの３次ストリームに第４の時間変化する変換を実施し前記第２の送信信号の他の部分を形成する手段と、
前記第１の送信信号と前記第２の送信信号を前記非送信ダイバーシティ遠隔局および前記送信ダイバーシティ遠隔局に送信する手段と、
を備えた装置。
【請求項１７】
送信ダイバーシティシステム内の送信ダイバーシティ遠隔局の中央部で非送信ダイバーシティ遠隔局を動作可能にするための装置において、
変調シンボルのストリームに少なくとも４つの時間変化する変換を実施する手段であって、前記変調シンボルの第１のストリームは非送信ダイバーシティ遠隔局のためのものであり、前記変調シンボルの残りのストリームは送信ダイバーシティ遠隔局のためのものであり、さらに前記少なくとも４つの時間変化する変換は、信号対雑音比における送信ダイバーシティを前記非送信ダイバーシティレシーバーに供給する手段と、
前記変調シンボルの変換されたストリームを送信する手段と、
を備えた装置。